(57)【要約】【課題】シャッターカーテンと袖扉とで火災時に確実に防火区画を形成する。【解決手段】袖扉２は、第１面２０と第２面２１とを備え、第１付勢手段によって閉鎖方向に付勢されており、第１面２０の戸先側部位は、その先端側が拡開するように第２面２１の戸先側部位から離隔する方向に所定角度まで回動するように付勢された可動部２００である。通常時には、袖扉２及び可動部２００の回動は規制されており、火災検知信号に基づいて回動規制が解かれる。可動部２００が拡開した状態で回動する袖扉２が閉鎖姿勢に近づいた時に、拡開した可動部２００は、その先端側部位が戸当り部１０に当接して袖扉２の戸先側へ摺動することで閉じて行き、袖扉２が閉鎖姿勢となった時に、可動部２００が第２面部２１の戸先側部位２１０に対向する姿勢となって、シャッターカーテン１の幅方向の一側を受け入れるガイド溝８を形成する。【選択図】図５
2010048062.tif 000002
【特許請求の範囲】
【請求項１】
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、第１面と第２面とを備え、前記開口部の側壁に沿った収納姿勢から前記開口部の幅方向に延出する閉鎖姿勢へ回動可能であると共に、第１付勢手段によって閉鎖方向に付勢されており、前記第１面は前記収納姿勢において前記開口部に面しており、
前記ガイド溝は、第１面の戸先側部位と第２面の戸先側部位との間に形成され、前記第１面の戸先側部位は、その先端側が拡開するように前記第２面の戸先側部位に対向した姿勢から離隔する方向に所定角度まで回動可能であると共に、第２付勢手段によって拡開方向に付勢されており、
通常時には、保持手段によって、前記袖扉の収納姿勢及び前記第１面の戸先側部位の対向姿勢が保持されており、
前記保持手段は、火災検知信号に基づいて保持状態が解除されることで、前記第１付勢手段及び前記第２付勢手段による回動を許容するように構成されており、
前記開口部の上方および／あるいは下方には、閉鎖姿勢まで回動した袖扉が当接する戸当り部が形成されており、第１面の戸先側部位が拡開した状態で回動する袖扉が閉鎖姿勢に近づいた時に、拡開した第１面部の戸先側部位は、その先端側部位が前記戸当り部に当接して袖扉の戸先側へ摺動することで閉じて行き、袖扉が閉鎖姿勢となった時に、前記第１面の戸先側部位が前記第２面部の戸先側部位に対向する姿勢となって、シャッターカーテンの幅方向の一側を受け入れるガイド溝を形成する、
袖扉付き防火シャッター装置。
【請求項２】
前記所定角度は、
第２面の戸先側部位の先端の回動軌跡の径と、拡開した第１面の戸先側部位の先端の回動軌跡の径との差が、前記ガイド溝内のシャッターカーテンの一側の端部の呑み込み寸法よりも大きくなるように、かつ、
拡開した第１面の戸先側部位の先端が戸当り部に当接した時に袖扉の回動に伴って袖扉の戸先側へ摺動できるように設定される、
請求項１に記載の袖扉付き防火シャッター装置。
【請求項３】
前記シャッターカーテンは、火災検知信号に基づいて自重降下する、請求項１、２いずれかに記載の袖扉付き防火シャッター装置。
【発明の詳細な説明】
【技術分野】
【０００１】
本発明は、シャッターカーテンと、シャッターカーテンの幅方向の一側の端部を受け入れるガイド溝を戸先側端部に備えた袖扉とで、建物内部の所定部位を閉鎖する防火シャッター装置に関するものである。
【背景技術】
【０００２】
シャッターカーテンと、戸先側端部にガイド溝を備えた袖扉とで、防火区画部位を閉鎖する防火シャッターが知られている。従来の防火シャッターは、袖扉連動防火シャッターであって、図７に示すように、火災信号を受信すると袖扉２´を収納部５０´に収納姿勢に保持している電磁レリーズが解除されて、袖扉２´が自動的に閉鎖し、袖扉２´が閉鎖状態となると、シャッター側に閉鎖信号が出力されて、シャッターカーテン１´が降下して開口部を閉鎖するように構成されている。このような袖扉連動防火シャッターにおいては、袖扉２´の戸先側にガイド溝８´を形成することで、シャッターカーテン１´と袖扉２´間の固定柱を無くすことができるという利点がある。特許文献１には、類似の構成を備えた避難扉連動シャッターが開示されている。
【０００３】
しかしながら、上記従来の袖扉連動防火シャッターには、以下のような欠点がある。
（１）袖扉２´が閉鎖した信号を受けてシャッターカーテン１´が降下開始する機構であるため、袖扉２´の閉鎖軌跡上に障害物がある場合等には、袖扉２´の閉鎖障害が発生するのみならず、シャッターカーテン１´が降下しない。
（２）閉鎖状態まで自動的に回動する袖扉２´が戸当り部に当たってバウンドすると、信号を受けて降下開始したシャッターカーテン１´の幅方向の一端部が袖扉２´の戸先側に形成したガイド溝８´の溝から外れて降下してしまい防火区画が形成できないおそれがある（図８参照）。
【０００４】
特許文献２には、防火シャッターの下降動作後において閉鎖状態となる防火戸において、防火戸の戸先側に形成した可動部材を設ける点が開示されており、上記（１）の課題に対応することができる。しかしながら、特許文献２に開示された具体的な技術手段は可動バーを用いて複雑な機構を介して可動部材を拡開状態から閉鎖させるものである。また、特許文献２の可動部材は、防火戸が閉鎖位置に近づいた時に拡開状態から閉鎖するように構成されており、したがって、防火戸が閉鎖位置（戸当り部）に近づいた時には、拡開状態にある可動部材の先端は平面視において戸当り部を越えて突出することから（特許文献２の図６（Ａ）参照）、防火戸の戸当り部に当接しないように可動部材の上端を切り欠く必要がある。可動部材は閉鎖状態において一側のガイドレールを構成するものであることから、閉鎖状態において、ガイドレールの上端と天井との間に防火装置としては不利な隙間が形成されるおそれがある。また、特許文献２は、上記（２）の課題に対応するものではない。
【特許文献１】実開昭４８−８０５５号
【特許文献２】特開２００２−１９４９７１号
【発明の開示】
【発明が解決しようとする課題】
【０００５】
本発明は、簡単な構成でありながら、上記（１）（２）の課題を解決することを目的とするものである。
【課題を解決するための手段】
【０００６】
本発明が採用した技術手段は、
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、第１面と第２面とを備え、前記開口部の側壁に沿った収納姿勢から前記開口部の幅方向に延出する閉鎖姿勢へ回動可能であると共に、第１付勢手段によって閉鎖方向に付勢されており、前記第１面は前記収納姿勢において前記開口部に面しており、
前記ガイド溝は、第１面の戸先側部位と第２面の戸先側部位との間に形成され、前記第１面の戸先側部位は、その先端側が拡開するように前記第２面の戸先側部位に対向した姿勢から離隔する方向に所定角度まで回動可能であると共に、第２付勢手段によって拡開方向に付勢されており、
通常時には、保持手段によって、前記袖扉の収納姿勢及び前記第１面の戸先側部位の対向姿勢が保持されており、
前記保持手段は、火災検知信号に基づいて保持状態が解除されることで、前記第１付勢手段及び前記第２付勢手段による回動を許容するように構成されており、
前記開口部の上方および／あるいは下方には、閉鎖姿勢まで回動した袖扉が当接する戸当り部が形成されており、第１面の戸先側部位が拡開した状態で回動する袖扉が閉鎖姿勢に近づいた時に、拡開した第１面部の戸先側部位は、その先端側部位が前記戸当り部に当接して袖扉の戸先側へ摺動することで閉じて行き、袖扉が閉鎖姿勢となった時に、前記第１面の戸先側部位が前記第２面部の戸先側部位に対向する姿勢となって、シャッターカーテンの幅方向の一側を受け入れるガイド溝を形成する、
袖扉付き防火シャッター装置、である。
【０００７】
一つの態様では、前記所定角度は、
第２面の戸先側部位の先端の回動軌跡の径と、拡開した第１面の戸先側部位の先端の回動軌跡の径との差が、前記ガイド溝内のシャッターカーテンの一側の端部の呑み込み寸法よりも大きくなるように、かつ、
拡開した第１面の戸先側部位の先端が戸当り部に当接した時に袖扉の回動に伴って袖扉の戸先側へ摺動できるように設定される。
【０００８】
一つの態様では、前記シャッターカーテンは、火災検知信号に基づいて自重降下する。
【発明の効果】
【０００９】
本発明では、シャッターカーテンの一側の端部を受け入れるガイド溝を形成する第１面部の戸先側部位を可動部から構成し、第２付勢手段によって拡開した状態の可動部は、戸当り部に当接した後は、袖扉の戸先側に向かって摺動していくので、既にシャッターカーテンが降下していても、可動部はシャッターカーテンの一側の端部に干渉することなく、シャッターカーテンの一側の端部の裏側に滑り込むように摺動する。したがって、シャッターカーテンを袖扉の閉鎖から独立させて降下させることができ、袖扉の閉鎖軌跡上に障害物があっても、シャッターカーテンを降下させることができる。シャッターカーテンが閉鎖した後に、障害物が取り除かれた場合には、袖扉は閉鎖方向に回動し、可動部と第２面の戸先側端部とで、既に降下したシャッターカーテンの一側の端部を挟み込んで区画形成が可能となる。
【００１０】
本発明では、シャッターカーテンの降下と袖扉の回動のタイミングの順序は限定されず、どのようなタイミングでシャッターカーテンが降下しても、シャッターカーテンの一側の端部を受け入れるガイド溝を形成することができる。
【００１１】
本発明では、閉鎖方向に回動していった袖扉が戸当り部に当接してバウンドしたとしても、バウンドした時に、可動部は、第２付勢手段によって、先端側が袖扉の戸尻側に摺動しながら拡開するので、図８のような状態となることがなく、バウンドが納まれば区画形成が可能となる。また、可動部が袖扉の本体よりも先に戸当り部に当接することで、第２付勢手段を備えた可動部がクッションの役割を持ち、戸当り部に袖扉が直接当接する場合に比べてバウンドを抑制することができる。
【発明を実施するための最良の形態】
【００１２】
本発明の実施形態を図面に基づいて詳細に説明する。袖扉付き防火シャッター装置は、建物内の空間の所定の区画部位に設置されており、火災時に、シャッターカーテン１と袖扉２とで建物内空間を閉鎖して建物内を区画するように構成されている。袖扉２には、避難用の子扉３が袖扉２に対して開閉可能に装着されている。本明細書において、「開口部」には、シャッターカーテン１と袖扉２によって閉鎖される建物内空間が含まれる。
【００１３】
図１は、全閉状態にある袖扉付き防火シャッター装置を示す概略正面図であって、左右の側壁４、５と天井ＣＬと床面ＦＬとで形成される開口部の幅方向の一部がシャッターカーテン１によって、残りの部分が扉体２によって、それぞれ閉鎖される。図示の例では、袖扉２が収納される側壁５は、袖扉付き防火シャッターによって閉鎖される開口部の幅方向に対して略９０度で延出しているが、側壁５は開口部の幅方向に対して９０度で延出するものに限定されるものではなく、９０度よりも大きい角度、例えば、略１８０度で延出するものでもよい。この場合、袖扉２は、収納姿勢から約１８０度回動することで閉鎖姿勢となる。また、図示の例では、シャッターカーテン１の片側に位置して袖扉２を備えているが、シャッターカーテン１の両側に位置して２つの袖扉を備えたものでもよい。
【００１４】
図２（Ｂ）に示すように、開口部の幅方向の所定部位の上方の天井ＣＬ内に位置してシャッターケース６が設けてあり、シャッターケース６内には巻取シャフト７が開口幅方向に延出しており、巻取シャフト７の両端は、シャッターケース６の左右に設けたブラケット６ａに回転可能に支持されている。シャッターカーテン１の上端は巻取シャフト７に連結されており、通常時には、シャッターカーテン１は巻取シャフト７に巻装された状態でシャッターケース６内に収納されている。
【００１５】
通常時には、開閉機（図示せず）の出力軸の回転をブレーキによって規制することで、開閉機の出力軸に連結されている巻取シャフト７の回転が規制されている。煙感知や熱感知による火災検知信号が自動閉鎖装置に送信されると、自動閉鎖装置が開閉機のブレーキを解除し、巻取シャフト７の回転規制が解除されて、シャッターカーテン１は調速手段によって調速されながら自重で降下して開口部を閉鎖する。
【００１６】
開口部全閉状態において、シャッターカーテン２の幅方向の一側の端部は、袖扉２の戸先側に形成されたガイド溝８内に受け入れられる。シャッターカーテン１の幅方向の他側の端部は、側壁４に形成されたガイド溝９内に受け入れられる。
【００１７】
袖扉２は、正面視長方形状で所定の厚みを有する部材であり、対向する面部２０、２１と、上端面２２、下端面２３、戸先側端面２４（ガイド溝８が形成されている）、戸尻側端面２５と、を備えている。袖扉２は、側壁５に対して平行に延びる収納姿勢と、側壁５に対して垂直に延びる姿勢、すなわち、開口部の幅方向に延びる閉鎖姿勢、との間で回動可能となっている。面部２０、２１において、面部２０が、収納姿勢にある袖扉２が収納姿勢から閉鎖姿勢へと回動する場合の回動方向側に位置し、面部２１が、収納姿勢にある袖扉２が収納姿勢から閉鎖姿勢へと回動する場合の回動方向とは反対側に位置している。
【００１８】
袖扉２は、通常時には、側壁５に対して平行する収納姿勢で、側壁５に沿って収納されている。好ましい態様では、側壁５には凹部状の収納部５０が形成されており、通常時には、袖扉２は、側壁５に形成された収納部５０内に、袖扉２の一方の面部２０が側壁５と面一となるように収納されている。収納部５０は、収納姿勢における袖扉２の戸尻側に位置する戸尻側縦枠５０Ａと同袖扉２の戸先側に位置する戸先側縦枠５０Ｂとの間の空間として形成されている。
【００１９】
袖扉２の戸尻側には、袖扉２を収納姿勢から閉鎖姿勢への回動させる自動閉鎖装置としてのオートヒンジ（回動支点Ｐのみ示し、オートヒンジ自体は図示せず）が設けてあり、袖扉２が自由な状態では、オートヒンジの付勢力によって、袖扉２は、側壁５に平行な収納姿勢から、側壁５に対して垂直な姿勢、すなわち、開口部の幅方向に延出する閉鎖姿勢へ向かって自動的に回動する。袖扉２を収納姿勢から閉鎖姿勢への回動させる自動閉鎖装置としてはオートヒンジ以外の他の手段が採用され得ることは当業者に理解される。
【００２０】
通常時には、袖扉２は、凹部５０内に設けた電磁レリーズ５１によって、凹部５０内に収まった状態、すなわち、側壁５に平行な収納姿勢で回動規制されており、収納姿勢が保持されている。電磁レリーズ５１は、火災検知信号を受けると解除されるようになっており、電磁レリーズ５１の解除後は、オートヒンジの付勢力で袖扉２が自動的に閉鎖方向に回動する。このような電磁レリーズは、当業者によく知られている。また、袖扉２を収納姿勢で保持する手段は、電磁的な保持手段（典型的には、電磁レリーズが例示される）に限定されるものではなく、他の手段が採用され得ることは当業者に理解される。
【００２１】
袖扉２の面部２０の戸先側部位は、袖扉２の全高方向に延出する縦長状の可動部２００となっている。袖扉２の面部２１の戸先側部位２１０と、可動部２００（面部２０の戸先側部位）、とからガイド溝８が形成される。
【００２２】
可動部２００は基端側が面部２０の残りの部分２０１に対して、その先端側が拡開するように回動可能に連結されている。可動部２００の基端側には、高さ方向に間隔を存して複数のスプリングヒンジ２０２が設けてある。可動部２００はスプリングヒンジ２０２によって拡開方向に付勢されており、可動部２００が自由な状態では、スプリングヒンジ２０２の付勢力によって、可動部２００は、面部２１の戸先側端部２１０から離隔する方向に所定角度まで回動する。
【００２３】
袖扉２の面部２１の戸先側端部２１０に対する可動部２００の拡開角度は、戸先側端部２１０の先端の回動軌跡Ａ１の径と、拡開した可動部２００の先端の回動軌跡Ａ２の径との差ｄ１が、ガイド溝８（対向する可動部２００と戸先側端部２１０とで形成される）内のシャッターカーテン１の端部の呑み込み寸法ｄ２よりも大きいという第１要件（シャッターカーテン１が既に降下していても、回動する袖扉２の戸先側の可動部２００がシャッターカーテン１の端部に干渉することがない）と、可動部２００の先端側の当接部２０３が戸当り部１０に当接した時に、当接部２０３が袖扉２の戸先側へ摺動できるような角度（可動部２００と戸当り部１０との角度が９０度未満）で戸当り部１０に当接するという第２要件を満たすように設定される。これらの要件は、可動部２００の幅寸法（袖扉２全体の幅寸法における相対的寸法も含んでもよい）、当接部２０３が戸当り部１０に当接した時の袖扉２の回動角度等を考慮しつつ、戸先側端部２１０に対する可動部２００の拡開角度を設定することで達成され得ることは当業者に理解される。図示の例では、戸先側端部２１０に対する可動部２００の拡開角度は約６０度であるが、第２要件を満たすためには、可動部２００の先端側の当接部２０３が戸当り部１０に当接した時に、可動部２００と戸当り部１０とで形成される角度が９０度未満となるような角度である。戸先側端部２１０に対する可動部２００の拡開角度は、当接部２０３が戸当り部１０に当接した時の袖扉２の回動角度により決定されることは当業者に理解される。戸先側端部２１０に対する可動部２００の拡開角度が９０度以下であれば、少なくともこの要件を満たす。スプリングヒンジ２０２のばね力は、可動部２００が戸当り部１０に当接した後に、袖扉２の閉鎖方向へのさらなる回動を妨げないような大きさに設定されている。
【００２４】
通常時には、可動部２００は、対向する面部２１の戸先側端部２１０に設けた電磁レリーズ２１１によって、面部２０の部分２０１と面一となって、凹部５０内に収まった状態、すなわち、対向する面部２１の戸先側端部２１０に平行状に対向した姿勢で、回動規制されており、この対向姿勢が保持されている。電磁レリーズ２１１は、火災検知信号を受けると解除されるようになっている。電磁レリーズ２１１が解除されると、可動部２００は、スプリングヒンジ２０２の付勢力によって、先端側が拡開しながら、面部２１の戸先側端部２１０から離隔する方向に回動する。図示の例では、通常時には、袖扉２の収納姿勢が電磁レリーズ５１（第１保持手段）によって保持されていると共に、可動部２００は面部２１の戸先側部位２１０に対向した姿勢で電磁レリーズ２１１（第２保持手段）によってそれぞれ保持されているが、共通する単独のレリーズ（保持手段）によって、袖扉２の収納姿勢、可動部２００の対向姿勢を保持してもよい。
【００２５】
火災時に火災検知信号を受信すると、電磁レリーズが解除され、オートヒンジのばね力により袖扉２が閉鎖方向へ回動すると共に、可動部２００の電磁レリーズ２１１も解除されて、可動部２００がスプリングヒンジ２０２のばね力により拡開状に回動する。したがって、図５、図６に示すように、袖扉２は、第１面２０の戸先側部位の可動部２００が拡開した状態で回動していく。一方、シャッターカーテン１も、火災検知信号を受信することで、自動閉鎖装置により自重降下を開始する。
【００２６】
戸先側の可動部２００が拡開した状態で袖扉２が回動して行き、開口幅方向に延びる閉鎖姿勢に近づくと、可動部２００の上端の当接部２０３が、区画される部位の上方の戸当り部１０に当接して、袖扉２の回動に伴って、当接部２０３が袖扉２の戸先側へ摺動して行き、可動部２００が閉じていって、袖扉２が全閉状態となることで、戸先側端部２１０と平行状の対向姿勢となり、対向する可動部２００と戸先側端部２１０とで、シャッターカーテン１の端部を両側から挟みこむ。
【００２７】
可動部２００の先端側かつ上方部位に形成されている当接部２０３は、図示の態様では、傾斜面から形成されており、可動部２０２が戸当り部１０に当接した後に円滑に摺動して閉じることができるようにしている。当接部２０３の形状は傾斜面に限定されるものではなく、戸当り部１０に当接した当接部２０３を円滑に摺動させるために、Ｒ形状やローラを設ける等の手段が取り得ることが当業者に理解される。
【００２８】
本実施形態では、シャッターカーテン１の一側の端部を受け入れるガイド溝８の一方の部位を可動部２００から構成し、可動部２００は戸当り部１０に当接した後は、袖扉２の戸先側に向かって摺動していくので、既にシャッターカーテン１が降下していても、可動部２００はシャッターカーテン１の一側の端部に干渉することなく、シャッターカーテン１の一側の端部の裏側に滑り込むように摺動する。したがって、シャッターカーテン１の降下を袖扉２の閉鎖に連動させる必要がなく、シャッターカーテン１を袖扉２の閉鎖から独立させて降下させることができ、袖扉２の閉鎖軌跡上に障害物があっても、シャッターカーテン１を降下させることができる。シャッターカーテン１が閉鎖した後に、障害物が取り除かれた場合には、袖扉２は閉鎖方向に回動し、可動部２００と戸先側端部２１０とで、既に降下したシャッターカーテン１の一側の端部を挟み込んで区画形成が可能となる。
【００２９】
本実施形態において、一つの態様では、シャッターカーテン１は、火災検知信号に基づいて自重降下するものであるが、袖扉２が閉鎖姿勢まで回動したことを検知して、この検知に基づいてシャッターカーテン１を自重降下させるものを排除するものではない。本発明では、シャッターカーテン１の降下のタイミングと袖扉２の回動のタイミングは、どのような順序でもよく、シャッターカーテン１の降下と袖扉２の回動を同時に開始してもよく、あるいは、シャッターカーテン１の全閉後あるいは降下中に袖扉２が回動を開始してもよく、あるいは、袖扉２の全閉後あるいは回動中にシャッターカーテン１が降下を開始してもよい。図１Ａは、シャッターカーテンの降下と袖扉の回動閉鎖が同時に行なわれている状態を示す。
【００３０】
本実施形態では、閉鎖方向に回動していった袖扉２が戸当り部１０に当接してバウンドしたとしても、バウンドした時に、可動部２００は、スプリングヒンジ２０２によって、先端側が袖扉２の戸尻側に摺動しながら拡開するので、図８のような状態となることがなく、バウンドが納まれば区画形成が可能となる。また、可動部２００が袖扉２の本体よりも先に戸当り部１０に当接することで、可動部２００がクッションの役割を持ち、戸当り部１０に袖扉２が直接当接する場合に比べてバウンドを抑制することができる。また、可動部２００の上端部位は戸当り部１０に当接する高さに位置しているので、袖扉２が全閉姿勢にある時には、可動部２００の上端部位は戸当り部１０に当接しているので、可動部２００の上端部位、すなわちガイドレールの上端部位、に隙間が生じることがない。また、本実施形態では、可動部２００は付勢手段で自動的に拡開し、拡開姿勢にある可動部２００は戸当り部１０に当接することで閉鎖するように構成されているので、可動部２００を開閉するために複雑な機構を用いる必要がない。
【００３１】
図中、参照番号１１は遮煙材であり、シャッターカーテン１及び袖扉２が全閉状態において、遮煙性能を向上させるための部材である。図２（Ａ）に示す参照番号１２は、開口部の上方に設けたラッチであり、袖扉２が全閉位置まで回動した時に、袖扉２の上面２２に形成された図示しないラッチ受けにラッチ１２が嵌ってロックするようになっている。
【産業上の利用可能性】
【００３２】
本発明は、袖扉を備えた防火シャッターに用いることができる。
【図面の簡単な説明】
【００３３】
【図１】袖扉を備えたシャッターの全閉状態の概略正面図である。
【図１Ａ】シャッターカーテンの降下と袖扉の回動閉鎖が同時に行なわれている状態を示す概略図である。
【図２】（Ａ）は袖扉を備えたシャッターの袖扉部分、（Ｂ）はシャッター部分の縦断面図である。
【図３】（Ａ）は側壁に形成された収納部、（Ｂ）は収納部に収納された状態の袖扉を示す図である。
【図４】（Ａ）は、図３における矢印３Ａ方向から見た図、（Ｂ）は、図３における３Ｂにおける断面図である。
【図５】袖扉の回動を示す平面図である。
【図６】図５と類似の図であり、特に、可動部が閉じていく軌跡を詳細に示している。
【図７】従来の袖扉を備えた防火シャッターの袖扉の回動を示す平面図である。
【図８】従来の袖扉を備えた防火シャッターの袖扉が戸当り部に当接してバウンドした状態を示す図である。
【符号の説明】
【００３４】
１  シャッターカーテン
２  袖扉
２０  面部
２１  面部
２００  可動部（面部２０の戸先側部位）
２１０  面部２１の戸先側部位
５  側壁
８  ガイド溝
１０  戸当り部
【図１】
2010048062.tif 000003
【図１Ａ】
2010048062.tif 000004
【図２】
2010048062.tif 000005
【図３】
2010048062.tif 000006
【図４】
2010048062.tif 000007
【図５】
2010048062.tif 000008
【図６】
2010048062.tif 000009
【図７】
2010048062.tif 000010
【図８】
2010048062.tif 000011